(57)【要約】      （修正有）【課題】ボディ装着冶具を挿入する箇所を発見し易く、かつ操作者の指に過剰な力が加わることを防止でき、さらに、ボディ装着冶具が従来のボディ装着ピンと比較して大きいため、ラジコン車が走行中の衝撃によりボディ装着冶具がはずれた場合でも容易に発見できるボディ装着治具を提供する。【解決手段】ボディ装着方法をボディ支持体にピンを挿入する方法から専用の受け側を作成し、それに専用のボディ装着冶具９，１１を挿入、回転することによってラジコン車のボディを簡易に装着することが可能となった。さらに、ボディ支持体がせり出さないため、ラジコン車としての外観を損なわなくなった。【選択図】図２
0003167499.tif 000002
【実用新案登録請求の範囲】
【請求項１】
ラジコン車のシャーシ側に立設されたボディ支持体に設置されたボディ装着部材に、ラジコン車のボディの開口部を合わせ、その上部よりボディを装着するための部材を挿入し回転動作によってボディを装着する構造であって、上記ボディ支持体に設置された装着部材は円筒形の側面に固定用のＬ字型係入溝を備え、且つ最上部にボディを保持、且つボディ側装着部材に加重をかけるためのばね構造を有する円形状の部材を備え、円筒形下部に固定用の突起に加重をかけるためのばね構造を有し、ボディを装着するための部材は上記装着部材の円筒形の内側に挿入される直径を有する円筒形で、且つボディを保持するための円形の部材を備え、さらに固定用の係入溝に整合する突起を有する部材にて構成されるボディ装着冶具。
【請求項２】
シャーシ側装着部材の円筒形の内側にボディ側装着部材を挿入する距離を取った内側にボディ側装着部材の円筒形の内部に挿入されるように突出構造を有することを特徴とする請求項１記載のボディ装着冶具。
【請求項３】
ボディ装着冶具のシャーシ側をボディ支持体にピンで固定するための開口部を有することを特徴とする請求項１記載のボディ装着冶具
【請求項４】
シャーシ側のボディ装着冶具、及びボディ側の装着冶具を一定の角度で傾く構造を有することを特徴とする請求項１記載のボディ装着冶具。
【請求項５】
ボディ側装着冶具の平面状円板２枚でボディを挟み込む構造を特徴とする請求項１記載のボディ装着冶具。
【考案の詳細な説明】
【技術分野】
【０００１】  本考案はラジコン車のボディ等をシャーシに装着する治具に関する。
【背景技術】
【０００２】  従来ラジコン車のボディをシャーシに装着する時は、図１に示すようにシャーシに立設されたボディ支持体１にボディの開口部を合わせボディ支持体を開口部より突出させ、該ボディ支持体に設けられた穴にボディ装着用のピン３をつけていた。図１−１に示すようにボディ支持体には予め装着されるボディの高さを規定するためのピン５がつけられており、ボディは該ピンとボディを装着するためのピンとの間にてシャーシに装着される。
【先行技術文献】
【特許文献】
【０００３】
【特許文献１】特許第３８７１７３９号
【考案の概要】
【考案が解決しようとする課題】
【０００４】  しかしながら、上記背景技術に記載した従来構造では、ピンをつける時にシャーシに固定されたボディ支持体に開けられた穴が見つけにくい、ボディ装着ピンの先端の形状が切断後の状態で先端が鋭利な形状になっているため支持体の穴の周辺に引っかかり通しにくい、ボディ装着ピンの針金の強度が強いとボディ支持体の穴に挿入するときに指先に過度の負担がかかる、走行中の衝突等の衝撃によってピンがはずれた場合にピンが小さいため発見しにくい、ボディ支持体がボディからせり出すためラジコン車としての外観が損なわれる、等の課題があった。さらに先行技術記載の特許第３８７１７３９号に記載されている構造においても、突出部を係入するための開口部が見にくく、且つ係入後、連続する係止溝へ移動するための操作に手間がかかる、等の課題があった。本考案は上記課題、並びに特許第３８７１７３９号記載の構造を解決するため、新しい構造のボディ装着治具を提供することにある。
【課題を解決するための手段】
【０００５】本考案はシャーシ側に立設されたボディ支持体の上方に設置された装着部材にラジコン車に開けられたボディ装着用の開口部を介して別の装着部材の突出部をシャーシ側の装着部材に挿入し、且つ回転することによってラジコン車のボディを装着する構造であって、上記シャーシ側の装着部材はボディ側から挿入する装着部材を固定するためのＬ字型の係入溝を有する円筒形であり、該部材の最上部にはボディを受け、且つボディ側から挿入される装着部材に上方への加重をかけるための円形の花びら状の受けを有し、且つ該円筒形の下部にはボディ側から挿入される装着部材にさらに上方へ加重をかけるためのばね構造を有することを特徴とする。ボディ側から挿入する装着部材はボディを抑えるための円形の平面状の板、並びにシャーシ側の装着部材の円筒形の内面に接する直径を有する円筒形の構造、且つシャーシ側装着部材の固定用の係入溝にはまる大きさの突起を有することを特徴とする装着部材である。該ボディ側の装着部材の円筒形の内側はくりぬき構造であり、シャーシ側装着部材の円筒形の内面に形成された突出部が該ボディ側装着部材の円筒形の内側に挿入される構造となっている。
【考案の効果】
【０００６】本考案によって、従来のピンによってボディを装着する方法と比較して、ボディ支持体がボディからせり出すことを防ぐことができ、ラジコン車としての外観を損なうことがない。ボディ装着冶具は回転させることによってシャーシに固定するため従来のピンのように過剰な力が指にかからない。ボディ装着冶具の挿入部が明確になるため、従来のようにピンを挿入する穴を探す手間がかからない。ボディ装着冶具は従来のピンと比較して大きいため、走行中にはずれても見つけやすい。等の効果が期待できる。
【図面の簡単な説明】
【０００７】
【図１】従来技術を示すボディ装着後の断面図である。
【図１−１】従来技術のボディ装着後の斜視図である。
【図２】この考案のボディ装着前の断面図である。
【図２−１】この考案のボディ装着後の断面図である。
【考案を実施するための形態】
【０００８】本考案の一実施形態を図２及び図２−１に示す。図２ではシャーシ６に取り付けられたボディ支持体１に本考案であるボディ装着冶具９が取り付けられている。取り付けはボディ支持体の穴にボディ装着冶具の穴を合わせそこに従来使用しているボディ装着ピン１０を挿入する。ここで使用する従来のボディ装着ピンは本考案のボディ装着冶具を固定するためであり、当該作業は１回のみであり繰り返す必要は無い。図２−１に示すように上記シャーシのボディ支持体に立設された装着冶具に当該装着冶具の位置の開口部にボディ装着冶具１１を予め組み込んだボディを乗せ、該装着冶具に下方向の加重をかけつつ回転することによって、ボディ側の装着冶具がシャーシ側の装着冶具に固定される。尚、シャーシ側装着冶具の下部に形成されたばね構造１２はボディ側装着冶具の鍵型係入部のロック部１３に対して上方への加重をかけることによってボディ装着を確実にする意味がある。さらにシャーシ側の円筒形の内側に形成されたボディ支持体による突出部１４がボディ側装着冶具の内部に挿入されることによって、ラジコン車の衝突等によって発生した衝撃に対してボディ側装着冶具の円筒形が変形することによってロックがはずれることによるボディの脱落を阻止する意味がある。本実施例ではボディ側の装着冶具の円形の板をボディを挟み込む構造とすることでボディ装着冶具の飛散を防止する効果があるが、ボディ側装着冶具の上方の円形は円筒形と一体構造とすることで、ラジコン車としての外観がさらに向上させることも可能である。
【０００９】「実施形態の効果」本実施形態によって、ボディからボディ支持体が突出することがなくなるため、ラジコン車としての外観を殆ど損なわずにボディを装着することができる。ラジコン車にボディを装着する方法が回転動作のみで可能となるため、従来の方法よりボディ装着冶具を挿入する箇所を発見し易く、且つ操作者の指に過剰な力が加わることを防止できる。さらに、ボディ装着冶具が従来のボディ装着ピンと比較して大きいため、ラジコン車が走行中の衝撃によりボディ装着冶具がはずれた場合でも容易に発見できる。さらにボディ側装着冶具の平面状円形板を可動構造とし、ボディ裏面からの円形状平面板とボディを挟み込む構造とすることで、衝撃によりボディが脱落した場合でもボディ装着冶具はボディに装着された状態も保つことが可能となる。
【符号の説明】
【００１０】１    ボディ支持体２    ラジコン車ボディ３    ボディ装着用ピン４    バンパー５    ボディ高さ規定用ピン６    シャーシ７    ボディ装着用突出部８    円形受け９    シャーシ側ボディ装着冶具１０  ボディ装着冶具固定ピン１１  ボディ側ボディ装着冶具１２  ばね構造１３  ロック用係入溝１４  ボディ支持体突出部
【図１】
0003167499.tif 000003
【図１−１】
0003167499.tif 000004
【図２】
0003167499.tif 000005
【図２−１】
0003167499.tif 000006